(57)【要約】【課題】  ワンセグからフルセグへの切り替えを遅滞なくスムーズに行いつつ、消費電力の低減を図る。【解決手段】  第１の放送と第２の放送を第１、第２のデコード手段１０２、１０４に振り分ける振分手段１０５、第１または第２の受信手段１０１、１０３をＯＮ制御する第１の制御手段１０６、第１、第２の受信手段がＯＮ制御されている間に第１、第２の放送の受信状態の良否を表す指標を検出する検出手段１０７、指標と第１の閾値との比較結果に基づいて第１のデコード手段の出力と第２のデコード手段の出力とを択一的に選択する選択手段１０８、第１の閾値と異なる第２の閾値と指標との比較結果に基づいて第１、第２の受信手段をＯＮ／ＯＦＦ制御する第２の制御手段１０９を備える。【選択図】  図１３
2014183378.tif 000002
【特許請求の範囲】
【請求項１】
第１の放送を受信する第１の受信手段と、
前記第１の受信手段で受信した前記第１の放送をデコードする第１のデコード手段と、
前記第１の放送と同一の放送内容を有する第２の放送を受信する第２の受信手段と、
前記第１の受信手段で受信した第１の放送または前記第２の受信手段で受信した前記第２の放送をデコードする第２のデコード手段と、
前記第１の受信手段で受信した第１の放送と前記第２の受信手段で受信した前記第２の放送とを前記第１のデコード手段と第２のデコード手段に振り分ける振分手段と、
前記第１の受信手段または前記第２の受信手段をＯＮ制御する第１の制御手段と、
前記第１、第２の受信手段がＯＮ制御されている間に前記第１、第２の放送の受信状態の良否を表す指標を検出する検出手段と、
前記指標と第１の閾値とを比較しその比較結果に基づいて前記第１のデコード手段の出力と前記第２のデコード手段の出力とを択一的に選択する選択手段と、
前記第１の閾値と異なる第２の閾値と前記指標とを比較しその比較結果に基づいて前記第１、第２の受信手段をＯＮ／ＯＦＦ制御する第２の制御手段と
を備えたことを特徴とする放送受信装置。
【請求項２】
前記第２の制御手段は、前記第１、第２の受信手段に加えて前記第１のデコード手段もＯＮ／ＯＦＦ制御する
ことを特徴とする請求項１に記載の放送受信装置。
【請求項３】
さらに、前記第１の閾値と異なる第３の閾値と前記指標とを比較しその比較結果に基づいて前記第２の受信手段または前記第２のデコード手段のいずれか一方もしくはその両方をＯＮ／ＯＦＦ制御する第３の制御手段
を備えたことを特徴とする請求項１または２いずれかに記載の放送受信装置。
【請求項４】
前記第２の閾値は前記第１の閾値よりも低い値を有することを特徴とする請求項１乃至３いずれか一項に記載の放送受信装置。
【請求項５】
前記第３の閾値は前記第１の閾値よりも高い値を有することを特徴とする請求項３に記載の放送受信装置。
【請求項６】
第１の放送を第１の受信手段に受信させる第１の受信工程と、
前記第１の受信手段で受信した前記第１の放送を第１のデコード手段にデコードさせる第１のデコード工程と、
前記第１の放送と同一の放送内容を有する第２の放送を第２の受信手段に受信させる第２の受信工程と、
前記第１の受信手段で受信した第１の放送または前記第２の受信手段で受信した前記第２の放送を第２のデコード手段にデコードさせる第２のデコード工程と、
前記第１の受信手段で受信した第１の放送と前記第２の受信手段で受信した前記第２の放送とを前記第１のデコード手段と第２のデコード手段に振り分ける振分工程と、
前記第１の受信手段または前記第２の受信手段をＯＮ制御する第１の制御工程と、
前記第１、第２の受信手段がＯＮ制御されている間に前記第１、第２の放送の受信状態の良否を表す指標を検出する検出工程と、
前記指標と第１の閾値とを比較しその比較結果に基づいて前記第１のデコード手段の出力と前記第２のデコード手段の出力とを択一的に選択する選択工程と、
前記第１の閾値と異なる第２の閾値と前記指標とを比較しその比較結果に基づいて前記第１、第２の受信手段をＯＮ／ＯＦＦ制御する第２の制御工程と
を含むことを特徴とする、放送受信装置の制御方法。
【請求項７】
放送受信装置のコンピュータに、
第１の放送を第１の受信手段に受信させる第１の受信機能と、
前記第１の受信手段で受信した前記第１の放送を第１のデコード手段にデコードさせる第１のデコード機能と、
前記第１の放送と同一の放送内容を有する第２の放送を第２の受信手段に受信させる第２の受信機能と、
前記第１の受信手段で受信した第１の放送または前記第２の受信手段で受信した前記第２の放送を第２のデコード手段にデコードさせる第２のデコード機能と、
前記第１の受信手段で受信した第１の放送と前記第２の受信手段で受信した前記第２の放送とを前記第１のデコード手段と第２のデコード手段に振り分ける振分機能と、
前記第１の受信手段または前記第２の受信手段をＯＮ制御する第１の制御機能と、
前記第１、第２の受信手段がＯＮ制御されている間に前記第１、第２の放送の受信状態の良否を表す指標を検出する検出機能と、
前記指標と第１の閾値とを比較しその比較結果に基づいて前記第１のデコード手段の出力と前記第２のデコード手段の出力とを択一的に選択する選択機能と、
前記第１の閾値と異なる第２の閾値と前記指標とを比較しその比較結果に基づいて前記第１、第２の受信手段をＯＮ／ＯＦＦ制御する第２の制御機能と
を与えることを特徴とするプログラム。
【発明の詳細な説明】
【技術分野】
【０００１】
本発明は、サイマル放送対応の放送受信装置、放送受信方法及びプログラムに関する。
【背景技術】
【０００２】
サイマル放送とは同時並行放送のことであり、詳細には、一つの放送局が同じ時間帯に、異なる周波数や異なる変調方式で同一内容の番組を同時に放送することをいう。たとえば、我が国の地上デジタルテレビジョン放送（以下、地デジ放送と略す。）では、１３セグメントのすべてを用いた高画質の放送（以下、フルセグまたはフルセグ放送という。）と、１３セグメントのうちの一つのセグメントを用いた簡易画質の放送（以下、ワンセグまたはワンセグ放送という。）とをサイマル放送している。
【０００３】
一般的に地デジ放送の受信装置は、フルセグとワンセグの各専用機であるが、移動体用、たとえば、車載用のテレビジョン受信機にあっては、受信状態が良好な環境ではフルセグ機として動作し、受信状態が良好でない環境ではワンセグ機として動作する兼用機が用いられることが多い。
【０００４】
図１５は、地デジ放送のセグメント構造模式図である。１つのチャンネルは所定周波数幅（たとえば、６ＭＨｚ）を１３等分したセグメントからなる。各セグメントには周波数の低い方から順に「１１」、「９」、「７」、「５」、「３」、「１」、「０」、「２」、「４」、「６」、「８」、「１０」、「１２」の番号が振られており、セグメント０がチャンネルの中心に位置している。
【０００５】
フルセグ放送は全てのセグメント（セグメント０〜セグメント１２）を使用し、ワンセグ放送は一つのセグメント（セグメント０）を使用する。このため、ワンセグ／フルセグ兼用機は、セグメント０を受信する「ワンセグ受信部」と、セグメント０〜セグメント１２を受信する「フルセグ受信部」とを必要とする。
【０００６】
また、ワンセグ／フルセグ兼用機は、ワンセグ放送とフルセグ放送の各々のサービス内容（映像や音声、データ等）をデコードするためのデコード部、すなわち、「ワンセグデコード部」と「フルセグデコード部」とを必要とする。
【０００７】
このようなワンセグ／フルセグ兼用機にあっては、受信状態が良好な場合には「フルセグ受信部」と「フルセグデコード部」とを動作させて高画質のフルセグ機として使用することができる。また、受信状態が良好でない場合には「ワンセグ受信部」と「ワンセグデコード部」あるいは「フルセグ受信部」と「ワンセグデコード部」とを動作させて簡易画質のワンセグ機として使用することができる。このため、とりわけ受信状態が変動しやすい移動体に適用した場合には、フルセグ放送とワンセグ放送とを切り替えながら、サイマル受信することができるので、放送の途切れを招くことがない。
【０００８】
受信状態の判定には、たとえば、デジタル信号の変調誤差比（ＭＥＲ：Modulation Error Ratio）や符号誤り率（ＢＥＲ：Bit Error Rate）などの指標を用いることができる。ＭＥＲやＢＥＲが所定の閾値以上であれば受信状態が良好であると判断でき、所定の閾値を下回っていれば受信状態が良好でないと判断できる（たとえば、下記の特許文献１や特許文献２参照）。または、フルセグに使用する一部のセグメントの相関電力値に基づいて受信状態の良否を判定することもできる（たとえば、下記の特許文献３参照）。あるいは、搬送波電力対雑音電力比（ＣＮＲ：Carrior to Noise Ratio）に基づいて受信状態の良否を判定することもできる（たとえば、下記の特許文献４参照）。
【先行技術文献】
【特許文献】
【０００９】
【特許文献１】特許第４９９６５８８号
【特許文献２】特許第４７４０６３４号
【特許文献３】特開２０１２−１２００１２号公報
【特許文献４】特開２０１１−１０３５３９号公報
【発明の概要】
【発明が解決しようとする課題】
【００１０】
しかしながら、前記のワンセグ／フルセグ兼用機にあっては、二つの受信部（ワンセグ受信部とフルセグ受信部）及び二つのデコード部（ワンセグデコード部とフルセグデコード部）の各々のＯＮ／ＯＦＦをきめ細かく制御する仕組みになっておらず、ワンセグからフルセグへの切り替えまたはその逆の切替えを遅滞なくスムーズに行いつつ、電力消費の低減を図るといった観点から改善すべき課題がある。
【００１１】
すなわち、ワンセグ／フルセグ兼用機において、電力消費の低減を図るためには、不要な回路部（ワンセグを受信している間はフルセグ受信部とフルセグデコード部、フルセグを受信している間はワンセグ受信部とワンセグデコード部）をＯＦＦ（電源を供給しない状態）にすることがよいものの、そうすると今度は、ワンセグからフルセグへの切り替えまたはその逆の切替えの際に遅れ（タイムラグ）を生じてしまう。回路部をＯＮにしてもすぐに立ち上がらないからである。
【００１２】
そこで、本発明は、ワンセグからフルセグへの切り替えまたはその逆の切替えを遅滞なくスムーズに行いつつ、電力消費の低減を図ることができる放送受信装置、放送受信方法及びプログラムを提供することにある。
【課題を解決するための手段】
【００１３】
本発明の放送受信装置は、第１の放送を受信する第１の受信手段と、前記第１の受信手段で受信した前記第１の放送をデコードする第１のデコード手段と、前記第１の放送と同一の放送内容を有する第２の放送を受信する第２の受信手段と、前記第１の受信手段で受信した第１の放送または前記第２の受信手段で受信した前記第２の放送をデコードする第２のデコード手段と、前記第１の受信手段で受信した第１の放送と前記第２の受信手段で受信した前記第２の放送とを前記第１のデコード手段と第２のデコード手段に振り分ける振分手段と、前記第１の受信手段または前記第２の受信手段をＯＮ制御する第１の制御手段と、前記第１、第２の受信手段がＯＮ制御されている間に前記第１、第２の放送の受信状態の良否を表す指標を検出する検出手段と、前記指標と第１の閾値とを比較しその比較結果に基づいて前記第１のデコード手段の出力と前記第２のデコード手段の出力とを択一的に選択する選択手段と、前記第１の閾値と異なる第２の閾値と前記指標とを比較しその比較結果に基づいて前記第１、第２の受信手段をＯＮ／ＯＦＦ制御する第２の制御手段とを備えたことを特徴とする。
本発明の放送受信装置の制御方法は、第１の放送を第１の受信手段に受信させる第１の受信工程と、前記第１の受信手段で受信した前記第１の放送を第１のデコード手段にデコードさせる第１のデコード工程と、前記第１の放送と同一の放送内容を有する第２の放送を第２の受信手段に受信させる第２の受信工程と、前記第１の受信手段で受信した第１の放送または前記第２の受信手段で受信した前記第２の放送を第２のデコード手段にデコードさせる第２のデコード工程と、前記第１の受信手段で受信した第１の放送と前記第２の受信手段で受信した前記第２の放送とを前記第１のデコード手段と第２のデコード手段に振り分ける振分工程と、前記第１の受信手段または前記第２の受信手段をＯＮ制御する第１の制御工程と、前記第１、第２の受信手段がＯＮ制御されている間に前記第１、第２の放送の受信状態の良否を表す指標を検出する検出工程と、前記指標と第１の閾値とを比較しその比較結果に基づいて前記第１のデコード手段の出力と前記第２のデコード手段の出力とを択一的に選択する選択工程と、前記第１の閾値と異なる第２の閾値と前記指標とを比較しその比較結果に基づいて前記第１、第２の受信手段をＯＮ／ＯＦＦ制御する第２の制御工程とを含むことを特徴とする。
本発明のプログラムは、放送受信装置のコンピュータに、第１の放送を第１の受信手段に受信させる第１の受信機能と、前記第１の受信手段で受信した前記第１の放送を第１のデコード手段にデコードさせる第１のデコード機能と、前記第１の放送と同一の放送内容を有する第２の放送を第２の受信手段に受信させる第２の受信機能と、前記第１の受信手段で受信した第１の放送または前記第２の受信手段で受信した前記第２の放送を第２のデコード手段にデコードさせる第２のデコード機能と、前記第１の受信手段で受信した第１の放送と前記第２の受信手段で受信した前記第２の放送とを前記第１のデコード手段と第２のデコード手段に振り分ける振分機能と、前記第１の受信手段または前記第２の受信手段をＯＮ制御する第１の制御機能と、前記第１、第２の受信手段がＯＮ制御されている間に前記第１、第２の放送の受信状態の良否を表す指標を検出する検出機能と、前記指標と第１の閾値とを比較しその比較結果に基づいて前記第１のデコード手段の出力と前記第２のデコード手段の出力とを択一的に選択する選択機能と、前記第１の閾値と異なる第２の閾値と前記指標とを比較しその比較結果に基づいて前記第１、第２の受信手段をＯＮ／ＯＦＦ制御する第２の制御機能とを与えることを特徴とする。
【発明の効果】
【００１４】
本発明によれば、ワンセグからフルセグへの切り替えまたはその逆の切替えを遅滞なくスムーズに行いつつ、電力消費の低減を図ることができる放送受信装置、放送受信方法及びプログラムを提供することができる。
【図面の簡単な説明】
【００１５】
【図１】各実施形態に共通の放送受信装置１の構成図である。
【図２】第１の実施形態の動作フローを示す図である。
【図３】第１の実施形態の作用説明図である。
【図４】第２の実施形態の動作フローを示す図である。
【図５】第２の実施形態の作用説明図である。
【図６】第３の実施形態の動作フローを示す図である。
【図７】第３の実施形態の作用説明図である。
【図８】閾値の他の例を示す図である。
【図９】第４の実施形態の動作フローを示す図である。
【図１０】第４の実施形態の作用説明図である。
【図１１】第４の実施形態に前記の第２または第３の実施形態で行った改良を適用した場合の作用説明図である。
【図１２】第４の実施形態に前記の第２または第３の実施形態で行った改良を適用した場合の作用説明図である。
【図１３】第５の実施形態に係る放送受信装置１００の構成図である。
【図１４】第５の実施形態の工程図である。
【図１５】地デジ放送のセグメント構造模式図である。
【発明を実施するための形態】
【００１６】
以下、本発明の実施形態を説明する。
図１は、各実施形態に共通の放送受信装置１の構成図である。放送受信装置１は、サイマル放送対応のもの、たとえば、地デジ放送のワンセグ／フルセグ兼用機であり、受信アンテナ２、チューナ部３、多重分離部４、フルセグデコード部５、ワンセグデコード部６、デコーダ選択部７、映像音声出力部８、ユーザ指示入力部９、制御部１０及び閾値記憶部１１を備える。
【００１７】
受信アンテナ２は、地デジ放送の放送信号ＨＦを受信する受信素子である。この図では、受信アンテナ２を放送受信装置１の内蔵型としているが、外付け型であってもよいし、あるいは、受信アンテナ２の代わりに放送信号ＨＦの入力端子を備える態様であってもよい。
【００１８】
チューナ部３は、フルセグ受信部１２、ワンセグ受信部１３、受信選択部１４及び受信状態指標検出部１５を備える。
【００１９】
フルセグ受信部１２は、放送信号ＨＦの中から、チャンネル信号ＣＨで指定されたチャンネルのフルセグ放送（地デジ放送のセグメント０〜セグメント１２を使用した放送）を選択して受信し、その受信信号をＯＦＤＭ（Orthogonal Frequency Division Multiplexing：直交波周波数分割多重）復調してトランスポートストリームＴＳ（Transport Stream）を出力する。なお、フルセグ受信部１２から出力されたトランスポートストリームＴＳであることを明示するために、添え字の“１”を付してトランスポートストリームＴＳ＿１ということにする。
【００２０】
トランスポートストリームＴＳは、ＴＳパケット（１８８バイトの固定長）を連続させた信号列であり、ＴＳパケットのパケットヘッダーにはパケットの種類を表すパケット識別子（ＰＩＤ：packet identification）が含まれている。このＰＩＤによって、そのパケットが制御用のパケット（ＰＳＩ／ＳＩ：Program Specific Information／Service Information）なのか、コンテンツ（映像、音声、データ放送など）のパケットなのかがわかり、さらに、ＰＳＩ／ＳＩの中のデータを解析することによって、各パケットのコンテンツがワンセグ用であるかフルセグ用であるかがわかる。
【００２１】
ワンセグ受信部１３は、放送信号ＨＦの中から、チャンネル信号ＣＨで指定されたチャンネルのワンセグ放送（地デジ放送のセグメント０を使用した放送）を選択して受信し、その受信信号をＯＦＤＭ復調してトランスポートストリームＴＳを出力する。なお、ワンセグ受信部１３から出力されたトランスポートストリームＴＳであることを明示するために、添え字の“２”を付してトランスポートストリームＴＳ＿２ということにする。
【００２２】
受信選択部１４は、制御部１０からの制御信号Ｃ１に従い、フルセグ受信部１２から出力されたトランスポートストリームＴＳ＿１と、ワンセグ受信部１３から出力されたトランスポートストリームＴＳ＿２とを択一的に選択する。
【００２３】
受信状態指標検出部１５は、地デジ放送の放送信号ＨＦの良否（一般的にフルセグ放送の良否）を表す受信状態指標Ｓを検出し、その受信状態指標Ｓを制御部１０に出力する。この受信状態指標Ｓには、たとえば、デジタル信号の変調誤差比ＭＥＲ、符号誤り率ＢＥＲ、ＴＳパケットエラー率ＰＥＲ（Packet Error Rate）、受信信号強度ＲＳＳＩ（Received Signal Strength Indication）、フルセグに使用する一部のセグメントの相関電力値や、送波電力対雑音電力比ＣＮＲなどを使用することができ、または、フルセグデコード部５やワンセグデコード部６で得られるデコードエラーを使用することもできる。あるいは、それらを組み合わせて使用することもできる。
【００２４】
ここで、フルセグ受信部１２は、制御部１０からの制御信号Ｃ２に従い、ＯＮとＯＦＦを切り替えられるようになっている。ＯＮとは、電源が供給されている状態（活性化状態ともいう）のことをいい、ＯＦＦとは、電源が供給されていない状態（非活性化状態ともいう）のことをいう。なお、この「電源が供給されていない状態」は、フルセグ受信部１２の全ての部分に電源が供給されていない状態であってもよく、または、一部の部分に電源が供給されていない状態であってもよい。また、「全ての部分」を「ほとんどの部分」と読み替えてもよく、あるいは、「一部の部分」を「電力消費の大きい部分」と読み替えてもよい。
【００２５】
ワンセグ受信部１３も、制御部１０からの制御信号Ｃ３に従い、ＯＮとＯＦＦを切り替えられるようになっている。ＯＮとＯＦＦの意味は、前記のフルセグ受信部１２と同じである。
【００２６】
多重分離部４は、制御部１０からの制御信号Ｃ４に従い、受信選択部１４で選択されたトランスポートストリームＴＳ（ＴＳ＿１またはＴＳ＿２）をＴＳパケットに分離し、そのＴＳパケットを制御部１０に出力すると共に、ＴＳパケットのＰＩＤに基づいてＴＳパケットの行き先をフルセグデコード部５とワンセグデコード部６に振り分ける。すなわち、ＴＳパケットがフルセグ用であればそのＴＳパケットの行き先をフルセグデコード部５とし、ＴＳパケットがワンセグ用であればそのＴＳパケットの行き先をワンセグデコード部６とする。
【００２７】
フルセグデコード部５は、多重分離部４からのＴＳパケットをデコードしてフルセグサービス情報（映像や音声及びデータを含む情報）ＦＤを出力する。ワンセグデコード部６は、多重分離部４からのＴＳパケットをデコードしてワンセグサービス情報（映像や音声及びデータを含む情報）ＯＤを出力する。
【００２８】
ここで、フルセグデコード部５は、制御部１０からの制御信号Ｃ５に従い、ＯＮとＯＦＦを切り替えられるようになっている。また、ワンセグデコード部６も、制御部１０からの制御信号Ｃ６に従い、ＯＮとＯＦＦを切り替えられるようになっている。ＯＮとＯＦＦの意味は、前記のフルセグ受信部１２やワンセグ受信部１３と同じである。
【００２９】
デコーダ選択部７は、制御部１０からの制御信号Ｃ７に従い、フルセグデコード部５から出力されたフルセグサービス情報ＦＤと、ワンセグデコード部６から出力されたワンセグサービス情報ＯＤとを択一的に選択する。
【００３０】
映像音声出力部８は、フルセグサービス情報ＦＤまたはワンセグサービス情報ＯＤをユーザが視聴可能な状態で再生出力する出力手段である。この映像音声出力部８は一般的に液晶ディスプレイ等の表示装置やスピーカ等の出力装置で構成されるが、これに限定されない。たとえば、映像出力端子と音声出力端子を備えていてもよい。この場合、それらの映像出力端子と音声出力端子に液晶ディスプレイ等の表示装置やスピーカ等の出力装置を接続すればよい。
【００３１】
ユーザ指示入力部９は、ユーザインターフェース用の入力手段である。このユーザ指示入力部９は、ユーザ操作に応答し、チャンネル指定や音量指定またはワンセグとフルセグの手動切り替え指定などの様々なユーザ指定信号Ｕを発生して制御部１０に出力する。
【００３２】
制御部１０は、たとえば、コンピュータを用いたプログラム制御方式の制御要素である。この制御部１０は、所定の制御プログラムに従って放送受信装置１の各部に対する様々な制御を実行する。以下、この制御部１０で実行する主要な制御のいくつかを列挙する。
【００３３】
（１）チャンネルの選択制御：
制御部１０は、ユーザ指定入力部９からのユーザ指定信号Ｕがチャンネル指定の信号である場合、そのチャンネル指定に対応したチャンネル信号ＣＨをチューナ部３に出力する。
（２）受信部切り替え制御：
制御部１０は、受信状態指標検出部１５からの受信状態指標Ｓと閾値記憶部１１に予め記憶されている閾値とに基づいて受信選択部１４の選択動作を制御する制御信号Ｃ１を発生する。
（３）受信部のＯＮ／ＯＦＦ制御：
制御部１０は、受信状態指標検出部１５からの受信状態指標Ｓと閾値記憶部１１に予め記憶されている閾値とに基づいてフルセグ受信部１２とワンセグ受信部１３のＯＮ／ＯＦＦを個別に制御する制御信号Ｃ２、Ｃ３を発生する。
（４）多重分離制御：
制御部１０は、多重分離部４の動作を制御する制御信号Ｃ４を発生する。
（５）デコード部のＯＮ／ＯＦＦ制御：
制御部１０は、受信状態指標検出部１５からの受信状態指標Ｓと閾値記憶部１１に予め記憶されている閾値とに基づいてフルセグデコード部５とワンセグデコード部６のＯＮ／ＯＦＦを個別に制御する制御信号Ｃ５、Ｃ６を発生する。
（６）デコード部切り替え制御：
制御部１０は、受信状態指標検出部１５からの受信状態指標Ｓと閾値記憶部１１に予め記憶されている閾値とに基づいてデコーダ選択部７の選択動作を制御する制御信号Ｃ７を発生する。
なお、これらの制御は、既述のとおり、制御部１０で実行する主要な制御のいくつかを示したものであるが、当然ながら、制御部１０は、上記（１）〜（６）以外の様々な制御、たとえば、音量制御やワンセグとフルセグの手動切り替え制御などを実行することは勿論である。
【００３４】
ここで、本明細書では、「視聴」に対応する用語として「提示」という用語を使用する。これは、「視聴」はユーザ（視聴者）の“行為”を表す用語であり、放送受信装置１の“動作”を表す用語としてはふさわしくないからである。
【００３５】
このことから、本明細書では放送受信装置１の“動作”を表す用語として「提示」を使用することにする。たとえば、ワンセグサービスの「提示」とは、ユーザがそのワンセグサービスを「視聴」できるような状態となるように放送受信装置１が動作することを意味する。または、フルセグサービスの「提示」とは、ユーザがそのフルセグサービスを「視聴」できるような状態となるように放送受信装置１が動作することを意味する。
【００３６】
また、以下で説明する複数の閾値のいくつかにも「提示」を含む名称（提示切替閾値）を使用している。この名称も、ワンセグサービスの「提示」、すなわち、ユーザがそのサービスを「視聴」できるような状態となるように放送受信装置１の動作を切り替えるために用いられる閾値であることを意味する。
【００３７】
閾値記憶部１１は、受信状態指標検出部１５からの受信状態指標Ｓと比較するための複数の閾値を記憶する。複数の閾値は「提示切替閾値Ｈ」、「提示切替閾値Ｌ」、「第一動作切替閾値Ｈ」、「第一動作切替閾値Ｌ」及び「第二動作切替閾値」の５つである。以下で説明する第１の実施形態と第２の実施形態では「第二動作切替閾値」以外の４つの閾値を使用し、第３の実施形態では５つの閾値全てを使用する。
【００３８】
これらの閾値には、チャッタリングを防止するためのヒステリシスが与えられている。すなわち、「提示切替閾値Ｈ」と「提示切替閾値Ｌ」のペア、「第一動作切替閾値Ｈ」と「第一動作切替閾値Ｌ」のペアになっている。添え字の“Ｈ”はヒステリシスにおける高レベル側の閾値（ＨＩＧＨ閾値）を示し、添え字の“Ｌ”はヒステリシスにおける低レベル側の閾値（ＬＯＷ閾値）を示している。ＨＩＧＨ閾値とＬＯＷ閾値の差がヒステリシス幅になる。
【００３９】
５つの閾値の大小関係は、「第二動作切替閾値＞提示切替閾値Ｈ＞提示切替閾値Ｌ＞第一動作切替閾値Ｈ＞第一動作切替閾値Ｌ」である。
【００４０】
「提示切替閾値Ｈ」と「提示切替閾値Ｌ」のペアは、ワンセグサービスとフルセグサービスの提示切替に用いられる。すなわち、「提示切替閾値Ｈ」と「提示切替閾値Ｌ」のペアは、フルセグサービスからワンセグサービスへの提示切替、または、その逆の提示切替に用いられる。
【００４１】
詳細には、ペアの一方の「提示切替閾値Ｌ」は、受信状態指標検出部１５からの受信状態指標Ｓによって示される受信状態が、フルセグサービスの提示には支障（画面の乱れ等）が認められる程度であるものの、ワンセグサービスの提示には何らの支障もない、または、多少の支障があっても視聴には差し支えない程度である場合の判定（受信状態＜提示切替閾値Ｌ）に用いられる。
【００４２】
「提示切替閾値Ｌ」の値は、以下に説明する「第１の特定状態」にあるときの受信状態指標Ｓに適合するように予め工場等で設定されている。第１の特定状態とは、受信状態指標Ｓが、フルセグサービスの提示には支障（画面の乱れ等）が認められる程度であるものの、ワンセグサービスの提示には何らの支障もない、または、多少の支障があっても視聴には差し支えない程度であるときの状態のことをいう。
【００４３】
したがって、上記の判定結果（受信状態＜提示切替閾値Ｌ）が肯定となった場合にフルセグサービスからワンセグサービスへの提示切替が行われる。
【００４４】
また、ペアの他方の「提示切替閾値Ｈ」は、受信状態指標検出部１５からの受信状態指標Ｓによって示される受信状態が、ワンセグサービスの提示は勿論のことフルセググサービスの提示にも何らの支障もない、または、多少の支障があっても視聴には差し支えない程度である場合の判定（受信状態≧提示切替閾値Ｈ）に用いられる。
【００４５】
「提示切替閾値Ｈ」の値は、以下に説明する「第２の特定状態」にあるときの受信状態指標Ｓに適合するように予め工場等で設定されている。第２の特定状態とは、ワンセグサービスの提示は勿論のことフルセググサービスの提示にも何らの支障もない、または、多少の支障があっても視聴には差し支えない程度であるときの状態のことをいう。
【００４６】
したがって、上記の判定結果（受信状態≧提示切替閾値Ｈ）が肯定となった場合にワンセグサービスからフルセグサービスへの提示切替が行われる。
【００４７】
「第一動作切替閾値Ｈ」と「第一動作切替閾値Ｌ」のペア及び「第二動作切替閾値」は、二つの受信部（フルセグ受信部１２とワンセグ受信部１３）の個別のＯＮ／ＯＦＦ制御と、二つのデコード部（フルセグデコード部５とワンセグデコード部６）の個別のＯＮ／ＯＦＦ制御に用いることが“可能”な閾値である。
【００４８】
ただし、どの回路部分をＯＮ／ＯＦＦ制御するかは、後述の実施形態（第１〜第３の実施形態）ごとに異なる。第１の実施形態では１つの回路部分（フルセグ受信部１２）のＯＮ／ＯＦＦ制御に用い、第２の実施形態では２つの回路部分（フルセグ受信部１２とフルセグデコード部５）のＯＮ／ＯＦＦ制御に用い、第３の実施形態では４つの回路部分（フルセグ受信部１２とフルセグデコード部５とワンセグ受信部１３とワンセグデコード部６）のＯＮ／ＯＦＦ制御に用いている。
【００４９】
ＯＮ／ＯＦＦ制御の実際については後で詳しく説明するが、このＯＮ／ＯＦＦ制御は、ワンセグからフルセグへの切り替えまたはその逆の切替えを遅滞なくスムーズに行いつつ、電力消費の低減を図るために必要不可欠なものである。
【００５０】
＜第１の実施形態＞
図２は、第１の実施形態の動作フローを示す図である。このフローは、制御部１０において実行される制御プログラムのフローでもある。したがって、以下に説明する各々の処理の実行主体は制御部１０である。このフローを開始すると、制御部１０は、まず、制御信号Ｃ２、Ｃ３、Ｃ５及びＣ６を発生して、フルセグ受信部１２、ワンセグ受信部１３、フルセグデコード部５及びワンセグデコード部６をＯＮにする（ステップＳ１０）。
【００５１】
次いで、制御部１０は、受信状態指標検出部１５からの受信状態指標Ｓ（受信状態）を取り込み（ステップＳ１１）、次に、現在の放送受信装置１がフルセグ提示中であるか否かを判定する（ステップＳ１２）。この判定は、たとえば、デコーダ選択部７の選択位置を調べることによって行うことができる。デコーダ選択部７の選択位置が図１の実線位置であればフルセグ提示中であると判定でき、または、破線位置であればフルセグ提示中でない（ワンセグ提示中である）と判定できる。または、制御信号Ｃ７の状態を調べてもよい。
【００５２】
フルセグ提示中の場合、制御部１０は、ステップＳ１１で取り込んでおいた受信状態（受信状態指標Ｓ）と提示切替閾値Ｌとを比較し、受信状態が提示切替閾値Ｌを下回っているか否かを判定する（ステップＳ１３）。そして、下回っていなければ、ステップＳ１１〜ステップＳ１３の処理（Ａ）を繰り返す一方、下回っていれば、制御信号Ｃ１、Ｃ７を発生して受信選択部１４とデコーダ選択部７の選択位置を切り替えてフルセグ提示からワンセグ提示への切り替えおよびフルセグ受信部１２からワンセグ受信部１３への切り替えを実行（ステップＳ１４）した後、ステップＳ１１で取り込んでおいた受信状態（受信状態指標Ｓ）と第一動作切替閾値Ｌとを比較し、受信状態が第一動作切替閾値Ｌを下回っているか否かを判定する（ステップＳ１５）。
【００５３】
受信状態が第一動作切替閾値Ｌを下回っていない場合、制御部１０は、再びステップＳ１１を実行し（Ｂ）、一方、受信状態が第一動作切替閾値Ｌを下回っている場合、制御部１０は、制御信号Ｃ２を発生してフルセグ受信部１２をＯＦＦ（ステップＳ１６）にした後、再びステップＳ１１を実行する（Ｃ）。
【００５４】
ステップＳ１２の判定結果がＮＯの場合、すなわち、フルセグ提示中でない場合、制御部１０は、ステップＳ１１で取り込んでおいた受信状態（受信状態指標Ｓ）と第一動作切替閾値Ｈとを比較し、受信状態が第一動作切替閾値Ｈ以上であるか否かを判定する（ステップＳ１７）。そして、以上でなければ、ステップＳ１１、ステップＳ１２、ステップＳ１７の処理（Ｄ）を繰り返す一方、以上であれば、フルセグ受信部１２がＯＦＦであるか否かを判定し（ステップＳ１８）、フルセグ受信部１２がＯＦＦの場合には制御信号Ｃ２を発生してフルセグ受信部１２をＯＮにする（ステップＳ１９）（Ｅ、Ｆ）。次いで、ステップＳ１１で取り込んでおいた受信状態（受信状態指標Ｓ）と提示切替閾値Ｈとを比較し、受信状態が提示切替閾値Ｈ以上であるか否かを判定する（ステップＳ２０）。
【００５５】
受信状態が提示切替閾値Ｈ以上でない場合、制御部１０は、ステップＳ１１、ステップＳ１２、ステップＳ１７、ステップＳ１８、ステップＳ１９、ステップＳ２０の処理（Ｇ）を繰り返す一方、受信状態が提示切替閾値Ｈ以上である場合、制御部１０は、制御信号Ｃ１、Ｃ７を発生して受信選択部１４とデコーダ選択部７の選択位置を切り替えてワンセグ提示からフルセグ提示への切り替えおよびワンセグ受信部１３からフルセグ受信部１２への切り替えを実行（ステップＳ２１）した後、再び、ステップＳ１１の処理を実行する（Ｈ）。
【００５６】
図３は、第１の実施形態の作用説明図である。この図において、上段に描かれているグラフ１６は、受信状態指標検出部１５で検出された受信状態指標Ｓの時間軸上の変化を示しており、このグラフ１６は上に行くほど受信状態がよい（下に行くほど受信状態が悪い）ことを表している。ヒステリシスが与えられた閾値ペア（提示切替閾値Ｈと提示切替閾値Ｌのペア、及び、第一動作切替閾値Ｈと第一動作切替閾値Ｌのペア）の一方のＬＯＷ閾値（添え字に“Ｌ”が付いたもの）は、受信状態が悪化（良→悪）したときの判定に用いられ、他方のＨＩＧＨＴ閾値（添え字に“Ｈ”が付いたもの）は、受信状態が好転（悪→良）したときの判定に用いられる。
【００５７】
グラフ１６の下に提示状態（デコーダ選択部７の選択状態）と受信部の選択状態（受信選択部１４の選択状態）が示されている。先に説明したとおり、「提示」とは「視聴」に対応する用語である。たとえば、ワンセグサービスの「提示」とは、ユーザがそのワンセグサービスを「視聴」できるような状態となるように放送受信装置１が動作することを意味する。または、フルセグサービスの「提示」とは、ユーザがそのフルセグサービスを「視聴」できるような状態となるように放送受信装置１が動作することを意味する。したがって、ここでいう「提示状態」とは、放送受信装置１の動作状態のことをいい、要するに、ユーザがワンセグサービスを「視聴」できる動作状態にあるか、または、フルセグサービスを「視聴」できる動作状態にあるかをいう。
【００５８】
また、受信部の選択状態の下に、二つの受信部（フルセグ受信部１２及びワンセグ受信部１３）と二つのデコード部（フルセグデコード部５及びワンセグデコード部６）のＯＮ／ＯＦＦ状態が示されている。ＯＮは電源が供給されている状態、ＯＦＦは電源が供給されていない状態である。先にも説明したとおり、この第１の実施形態では、フルセグ受信部１２のＯＮ／ＯＦＦ制御を行う。すなわち、この第１の実施形態では、フルセグ受信部１２以外の他の回路部（ワンセグ受信部１３、フルセグデコード部５及びワンセグデコード部６）はＯＮ状態のままである。
なお、最下段のフロー参照記号（Ａ〜Ｈ）は、図２のフローの該当箇所を見るための便宜上の記号である。
【００５９】
この図からも明らかなように、受信状態が提示切替閾値Ｌを下回るとフルセグ提示からワンセグ提示に切り替えられ、また、受信状態が提示切替閾値Ｈ以上になるとワンセグ提示からフルセグ提示、およびワンセグ受信部１３からフルセグ受信部１２に切り替えられる。したがって、受信状態の変動に応じて地デジ放送のサイマル受信を行うことができる。
【００６０】
ここで、この第１の実施形態においては、ワンセグ提示中に受信状態が更に悪化して第一動作切替閾値Ｌを下回ったときにフルセグ受信部１２をＯＦＦにするとともに、受信状態が改善して第一動作切替閾値Ｈ以上になったときにフルセグ受信部１２をＯＮにしている。
【００６１】
これらの第一動作切替閾値Ｈ及び第一動作切替閾値Ｌは、提示切替閾値Ｈ及び提示切替閾値Ｌと異なる値を有している。異なる値は、たとえば、提示切替閾値Ｈ及び提示切替閾値Ｌよりも低い値である。低い値にすれば、上記のフルセグ受信部１２のＯＮ→ＯＦＦとＯＦＦ→ＯＮは、少なくとも、フルセグ提示からワンセグ提示およびフルセグ受信部１２からワンセグ受信部１３への切り替え時点（ア）よりも時間的に後であって、且つ、ワンセグ提示からフルセグ提示およびワンセグ受信部１３からフルセグ受信部１２への切り替え時点（イ）よりも時間的に前である所定の範囲（ウ）で行われることになる。
【００６２】
したがって、ワンセグ提示からフルセグ提示およびワンセグ受信部１３からフルセグ受信部１２への切り替え時点（イ）においては、すでにフルセグ受信部１２が立ち上がっているから、ワンセグからフルセグへの切り替えを遅滞なくスムーズに行うことができ、無用なタイムラグを生じない。
しかも、所定の範囲（ウ）でフルセグ受信部１２をＯＦＦにしているので、フルセグ受信部１２の電力相当分、消費電力の低減を図ることができる。
【００６３】
以上のとおり、この第１の実施形態によれば、ワンセグからフルセグへの切り替えを遅滞なくスムーズに行いつつ、消費電力の低減を図ることができるという特有の効果を奏することができる。
【００６４】
＜第２の実施形態＞
次に、第２の実施形態を説明する。この第２の実施形態は前記の第１の実施形態の改良例である。すなわち、前記の第１の実施形態ではフルセグ受信部１２のＯＮ／ＯＦＦ制御を行っていた。この態様（フルセグ受信部１２のＯＮ／ＯＦＦ制御を行う態様）でも、ワンセグからフルセグへの切り替えを遅滞なくスムーズに行いつつ、消費電力の低減を図ることができるという特有の効果を奏することができるが、さらに効果を高めるためには、フルセグ受信部１２に加えて他の回路部分のＯＮ／ＯＦＦ制御も行うことが望ましい。第２の実施形態はこうした観点から前記の第１の実施形態を改良したものである。
【００６５】
図４は、第２の実施形態の動作フローを示す図である。このフローは一部を除き前記の第１の実施形態のフロー（図２参照）と同じである。第１の実施形態のフローとの相違の一は、第１の実施形態のステップＳ１６（フルセグ受信部１２をＯＦＦにする処理）の代わりに、フルセグ受信部１２とフルセグデコード部５を共にＯＦＦにする処理（ステップＳ１６ａ）を実行する点にある。また、相違の二は、第１の実施形態のステップＳ１９（フルセグ受信部１２をＯＮにする処理）の代わりに、フルセグ受信部１２とフルセグデコード部５を共にＯＮにする処理（ステップＳ１９ａ）を実行する点にある。その他の処理は、第１の実施形態と同じである。
【００６６】
図５は、第２の実施形態の作用説明図である。図の説明は前記第１の実施形態の作用説明図（図３参照）と同じである。前記第１の実施形態の作用説明図との相違は、所定の範囲（ウ）において、フルセグ受信部１２をＯＮ→ＯＦＦ、ＯＦＦ→ＯＮすると同時に、フルセグデコード部５もＯＮ→ＯＦＦ、ＯＦＦ→ＯＮする点にある。
【００６７】
この第２の実施形態によれば、ワンセグ提示からフルセグ提示およびワンセグ受信部１３からフルセグ受信部１２への切り替え時点（イ）においては、すでにフルセグ受信部１２とフルセグデコード部５が立ち上がっているから、ワンセグからフルセグへの切り替えを遅滞なくスムーズに行うことができ、無用なタイムラグを生じない。
【００６８】
しかも、所定の範囲（ウ）でフルセグ受信部１２とフルセグデコード部５をＯＦＦにしているので、消費電力の低減も図ることができる。
【００６９】
この消費電力の低減効果は前記第１の実施形態よりも高い。前記第１の実施形態ではフルセグ受信部１２をＯＦＦにしているのに対して、この第２の実施形態ではフルセグ受信部１２とフルセグデコード部５の二つの回路部を共にＯＦＦにしているからである。したがって、この第２の実施形態によれば、少なくともフルセグデコード部５の電力相当分、第１の実施形態よりも消費電力の低減効果を高めることができる。
【００７０】
以上のとおり、この第２の実施形態においても、ワンセグからフルセグへの切り替えを遅滞なくスムーズに行いつつ、消費電力の低減を図ることができるという特有の効果を奏することができる。
【００７１】
＜第３の実施形態＞
次に、第３の実施形態を説明する。この第３の実施形態は前記第２の実施形態の改良例である。すなわち、前記第２の実施形態ではフルセグ受信部１２とフルセグデコード部５のＯＮ／ＯＦＦ制御を行っていた。この態様（フルセグ受信部１２とフルセグデコード部５のＯＮ／ＯＦＦ制御を行う態様）でも、ワンセグからフルセグへの切り替えを遅滞なくスムーズに行いつつ、消費電力の低減を図ることができるという特有の効果を奏することができるが、さらに効果を高めるためには、フルセグ受信部１２とフルセグデコード部５に加えて他の回路部分のＯＮ／ＯＦＦ制御も行うことが望ましい。第３の実施形態はこうした観点から前記第２の実施形態を改良したものである。
【００７２】
図６は、第３の実施形態の動作フローを示す図である。このフローは前記第２の実施形態（図４参照）との相違箇所を示している。すなわち、前記第２の実施形態のフローとの相違の一は、前記第２の実施形態のステップＳ１２（現在の放送受信装置１がフルセグ提示中であるか否かを判定する処理）とステップＳ１３（受信状態が提示切替閾値Ｌを下回っているか否かを判定する処理）との間に、受信状態が第二動作切替閾値を下回っているか否かを判定する処理（ステップＳ２２）と、その判定結果がＹＥＳの場合にワンセグ受信部１３がＯＦＦであるか否かを判定する処理（ステップＳ２３）と、ワンセグ受信部１３がＯＦＦである場合にワンセグ受信部１３とワンセグデコード部６をＯＮにする処理（ステップＳ２４）とを追加した点にある。また、相違の二は、前記第２の実施形態のステップＳ２１（ワンセグ提示からフルセグ提示およびワンセグ受信部１３からフルセグ受信部１２への切り替えを行う処理）の後に、受信状態が第二動作切替閾値以上であるか否かを判定する処理（ステップＳ２５）と、その判定結果がＹＥＳの場合にワンセグ受信部１３がＯＮであるか否かを判定する処理（ステップＳ２６）と、ワンセグ受信部１３がＯＮである場合にワンセグ受信部１３とワンセグデコード部６をＯＦＦにする処理（ステップＳ２７）とを追加した点にある。
【００７３】
図７は、第３の実施形態の作用説明図である。図の説明は前記第２の実施形態の作用説明図（図５参照）と同じである。前記第２の実施形態の作用説明図との相違は、フルセグ提示中において、「受信状態＜第二動作切替閾値」が成立した場合にはワンセグ受信部１３とワンセグデコード部６をＯＦＦ→ＯＮにする一方、「受信状態≧第二動作切替閾値」が成立した場合にはワンセグ受信部１３とワンセグデコード部６をＯＮ→ＯＦＦにする点にある。
【００７４】
この第３の実施形態によれば、前記第２の実施形態と同様に、ワンセグ提示からフルセグ提示およびワンセグ受信部１３からフルセグ受信部１２への切り替え時点（イ）においては、すでにフルセグ受信部１２とフルセグデコード部５が立ち上がっているから、ワンセグからフルセグへの切り替えを遅滞なくスムーズに行うことができる上、さらに、フルセグ提示からワンセグ提示およびフルセグ受信部１２からワンセグ受信部１３への切り替え時点（ア）においても、すでにワンセグ受信部１３とワンセグデコード部６が立ち上がっているから、フルセグからワンセグへの切り替えについても遅滞なくスムーズに行うことができ、双方の提示切替に無用なタイムラグを生じないという特有の効果が得られる。
【００７５】
しかも、フルセグ提示中にワンセグ受信部１３とワンセグデコード部６をＯＦＦにしているので、消費電力の低減も図ることができる。
【００７６】
この消費電力の低減効果は前記第２の実施形態よりも高い。前記第２の実施形態ではフルセグ受信部１２とフルセグデコード部５の二つの回路部をＯＦＦにしているが、この第３の実施形態ではそれらに加えてさらにワンセグ受信部１３とワンセグデコード部６もＯＦＦにしているからである。したがって、この第３の実施形態によれば、少なくともワンセグ受信部１３とワンセグデコード部６の電力相当分、第２の実施形態よりも消費電力の低減効果を高めることができる。
【００７７】
なお、この第３の実施形態では、ワンセグ受信部１３とワンセグデコード部６の両方のＯＮ／ＯＦＦ制御を行っているが、これに限定されない。ワンセグ受信部１３とワンセグデコード部６のいずれか一方のＯＮ／ＯＦＦ制御を行う態様であってもよい。
【００７８】
以上のとおり、この第２の実施形態においても、ワンセグからフルセグへの切り替えを遅滞なくスムーズに行いつつ、消費電力の低減を図ることができるという特有の効果を奏することができる。
【００７９】
以上の説明では、閾値にヒステリシスを持たせているが、これに限定されない。要は、チャッタリングを防止できればよく、以下のようにしてもよい。
【００８０】
図８は、閾値の他の例を示す図である。この図において、閾値１７は、提示切替閾値Ｈと提示切替閾値Ｌのペア、第一動作切替閾値Ｈと第一動作切替閾値Ｌのペアに相当する。この閾値１７は、いわゆる閾値判定禁止時間付きである。たとえば、受信状態が閾値１７を下回ったときから所定時間（閾値判定禁止時間：無効区間ともいう。）が経過するまでの間は判定結果が無効とされるものである。また、受信状態が閾値１７以上になったときから所定時間が経過するまでの間も判定結果が無効とされるものである。
【００８１】
このようにしてもチャッタリングを防止することができる。
【００８２】
また、このような閾値判定禁止時間付きの閾値１７を用いれば、閾値の数を減らすことができる。すなわち、提示切替閾値Ｈと提示切替閾値Ｌのペアを１つの閾値にするとともに、第一動作切替閾値Ｈと第一動作切替閾値Ｌのペアを１つの閾値にすることができ、閾値の数を４つから２つに減らすことができる（第二動作切替閾値も含めると５つから３つに減らすことができる）。
【００８３】
なお、ワンセグサービスの提示とフルセグサービスの提示をシームレスに切り替える方法には、たとえば、フルセグサービスの提示を遅延させて切り替えるなどの様々な方法が提案されているが、これらの方法を前記各実施形態に適用してもかまわない。
【００８４】
また、閾値については、受信信号の変調方式等の伝送パラメータごとに最適化した固定値を用いてもよいし、または、受信状態のパラメータによって値が変化する可変値を用いてもよい。
【００８５】
また、実施形態の適用は放送受信装置１に限らず、他の様々な電子機器にも適用可能である。たとえば、地デジ放送等の受信機能付きの携帯電話、スマートフォン、カーナビゲーション装置、歩行用ナビゲーション装置、ゲーム機、タブレットＰＣ（Personal Computer）、ノートＰＣ、ＰＤＡ（Personal Data Assistants：携帯情報端末）、または、地上デジタル音声放送（ＩＳＤＢ−Ｔｓｂ：Integrated Services Digital Broadcasting-Terrestrial
for Sound Broadcasting）受信機、マルチメディア放送（ＩＳＤＢ−Ｔｍｍ：Integrated Services Digital Broadcasting-Terrestrial
for mobile multimedia）受信機あるいは地デジ放送と同様の階層伝送が行われるシステムなどにも適用可能である。
【００８６】
＜第４の実施形態＞
次に、第４の実施形態を説明する。
図９は、第４の実施形態の動作フローを示す図である。このフローも、制御部１０において実行される制御プログラムのフローでもある。したがって、以下に説明する各々の処理の実行主体は制御部１０である。なお、このフローの開始時点では、フルセグ受信部１２とフルセグデコード部５だけがＯＮになっている。このフローを開始すると、制御部１０は、まず、受信状態の取り込み、すなわち、受信状態指標検出部１５からの受信状態指標Ｓ（受信状態）の取り込みを行う（ステップＳ３０）。
【００８７】
次いで、制御部１０は、現在の放送受信装置１がフルセグ提示中であるか否かを判定する（ステップＳ３１）。この判定は、たとえば、デコーダ選択部７の選択位置を調べることによって行うことができる。デコーダ選択部７の選択位置が図１の実線位置であればフルセグ提示中であると判定でき、または、破線位置であればフルセグ提示中でない（ワンセグ提示中である）と判定できる。または、制御信号Ｃ７の状態を調べてもよい。
【００８８】
次いで、フルセグ提示中の場合、制御部１０は、ステップＳ３０で取り込んでおいた受信状態（受信状態指標Ｓ）と第一動作切替閾値Ｌとを比較し、受信状態が第一動作切替閾値Ｌを下回っているか否かを判定する（ステップＳ３２）。そして、下回っていれば、フルセグからワンセグへの提示切り替えと、フルセグ受信からワンセグ受信への動作切り替えとを行い（ステップＳ３３）、再びステップＳ３０を実行する一方、下回っていなければ、受信状態（受信状態指標Ｓ）と提示切替閾値Ｌとを比較し、受信状態が提示切替閾値Ｌを下回っているか否かを判定する（ステップＳ３４）。
【００８９】
そして、受信状態が提示切替閾値Ｌを下回っていなければ、そのまま再びステップＳ３０を実行する一方、下回っていれば、フルセグ受信のまま、フルセグからワンセグへの提示切り替えを行い（ステップＳ３５）、再びステップＳ３０を実行する。
【００９０】
ステップＳ３１の判定結果がＮＯの場合、すなわち、フルセグ提示中でない場合、制御部１０は、フルセグ受信中であるか否かを判定する（ステップＳ３６）。そして、フルセグ受信中であれば、ステップＳ３０で取り込んでおいた受信状態（受信状態指標Ｓ）と提示切替閾値Ｈとを比較し、受信状態が提示切替閾値Ｈ以上であるか否かを判定し（ステップＳ３７）、以上であれば、フルセグ受信のまま、ワンセグからフルセグへの提示切り替えを行い（ステップＳ３８）、再びステップＳ３０を実行する一方、以上でなければ、受信状態（受信状態指標Ｓ）と第一動作切替閾値Ｌとを比較し、受信状態が第一動作切替閾値Ｌを下回っているか否かを判定する（ステップＳ３９）。
【００９１】
そして、受信状態が第一動作切替閾値Ｌを下回っていなければ、再びステップＳ３０を実行する一方、下回っていれば、ワンセグ提示のまま、フルセグ受信からワンセグ受信への動作切り替えを行い（ステップＳ４０）、再びステップＳ３０を実行する。
【００９２】
ステップＳ３６の判定結果がＮＯの場合、すなわち、フルセグ受信中でない場合、制御部１０は、ステップＳ３０で取り込んでおいた受信状態（受信状態指標Ｓ）と提示切替閾値Ｈとを比較し、受信状態が提示切替閾値Ｈ以上であるか否かを判定し（ステップＳ４１）、以上であれば、ワンセグからフルセグへの提示切り替えと、ワンセグ受信からフルセグ受信への動作切り替えとを行い（ステップＳ４２）、再びステップＳ３０を実行する一方、以上でなければ、受信状態（受信状態指標Ｓ）と第一動作切替閾値Ｈとを比較し、受信状態が第一動作切替閾値Ｈ以上であるか否かを判定する（ステップＳ４３）。
【００９３】
そして、受信状態が第一動作切替閾値Ｈ以上でなければ、再びステップＳ３０を実行する一方、以上であれば、ワンセグ提示のまま、ワンセグ受信からフルセグ受信への動作切り替えを行い（ステップＳ４４）、再びステップＳ３０を実行する。
【００９４】
図１０は、第４の実施形態の作用説明図である。図の説明は前記第１及び第２の実施形態の作用説明図（図３及び図５参照）と同じである。前記第１及び第２の実施形態の作用説明図との相違は、フルセグ提示の切り替えタイミングと、受信部の切り替えタイミングとを異ならせた点にある。すなわち、図示の通り、フルセグ提示からワンセグ提示への切り替え時点では、まだ、フルセグ受信部１２が選択状態にあり、「受信状態＜第一動作切替閾値Ｌ」が成立した時点でフルセグ受信部１２からワンセグ受信部１３への切り替えが行われるようになっているとともに、さらに、ワンセグ提示からフルセグ提示への切り替えに先立ち、「受信状態≧第一動作切替閾値Ｈ」が成立した時点でワンセグ受信部１３からフルセグ受信部１２への切り替えが行われるようになっている点で相違する。
【００９５】
第４の実施形態によれば、以上のとおりの動作としたので、電力消費を抑えつつ、ワンセグとフルセグの切り替えを途切れなくスムーズに行うことができるという効果が得られる。
【００９６】
この効果について説明すると、一般的にフルセグ受信部１２とワンセグ受信部１３とを同時に動作させるとワンセグとフルセグの切り替えを途切れなくスムーズに行うことができる一方で、電力消費が増えるという不都合を招く。
【００９７】
本件発明者は、フルセグの受信データにはワンセグのデータも含まれていることから、フルセグのデータはフルセグサービスの提示だけでなく、ワンセグサービスの提示にも利用可能であるが、ワンセグの受信データはワンセグサービスの提示にしか利用できないことに着目し、受信部をフルセグ（フルセグ受信部１２）のままにして提示サービスをフルセグからワンセグに切り替えるようにしたものである（ステップＳ３５、ステップＳ３８）。
【００９８】
このようにすると、受信部の切り替えが発生しないため、デコーダ（フルセグデコード部５とワンセグデコード部６）を同時動作させておけば、ワンセグとフルセグの切り替えを途切れなくスムーズに行うことができる。
【００９９】
また、さらに受信状態が悪化した場合には、受信部を切り替える（フルセグ受信部１２からワンセグ受信部１３）ようにした（ステップＳ３３、ステップＳ４０）。この場合、途切れが発生するが、もともと受信状態が悪化しているので、途切れが目立つことはない。
【０１００】
つまり、第４の実施形態では、フルセグ受信部１２とワンセグ受信部１３を排他的に使用するので、最大消費電力を低減することができる。また、フルセグ受信部１２を動作（ワンセグ受信部１３は停止）させたまま提示サービスを切り替えるようにしたので、切り替えの際に途切れを生じない。さらに、ワンセグでも絵音が乱れる程度まで受信状態が悪化した場合は受信部をフルセグ受信部１２からワンセグ受信部１３に切り替える（提示はワンセグのまま）ので、途切れは発生するものの絵音が乱れているので、目立たない。
【０１０１】
なお、この第４の実施形態に、前記の第２または第３の実施形態で行った改良を適用してもよい。
図１１及び図１２は、第４の実施形態に前記の第２または第３の実施形態で行った改良を適用した場合の作用説明図である。すなわち、図１１に示すように、ワンセグデコード部６をＯＮのまま、第一動作切替閾値Ｌ、Ｈに従ってフルセグデコード部５だけをＯＮ／ＯＦＦ制御するとともに、提示切替閾値Ｌ、Ｈに従ってワンセグサービスとフルセグサービスの提示切り替えを行ってもよいし、あるいは、図１２に示すように、第一動作切替閾値Ｌ、Ｈと第二動作切替閾値に従ってフルセグデコード部５とワンセグデコード部６をＯＮ／ＯＦＦ制御するとともに、提示切替閾値Ｌ、Ｈに従ってワンセグサービスとフルセグサービスの提示切り替えを行ってもよい。
【０１０２】
＜第５の実施形態＞
図１３は、第５の実施形態に係る放送受信装置１００の構成図である。
この図において、放送受信装置１００（実施形態の放送受信装置１に相当）は、第１の受信手段１０１（実施形態のフルセグ受信部１２に相当）と、第１のデコード手段１０２（実施形態のフルセグデコード部５に相当）と、第２の受信手段１０３（実施形態のワンセグ受信部１３に相当）と、第２のデコード手段１０４（実施形態のワンセグデコード部６に相当）と、振分手段１０５（実施形態の受信選択部１４及び多重分離部４に相当）と、第１の制御手段１０６（実施形態の制御部１０に相当）と、検出手段１０７（実施形態の受信状態指標検出部１５に相当）と、選択手段１０８（実施形態のデコーダ選択部７に相当）と、第２の制御手段１０９（実施形態の制御部１０に相当）とを備える。
第１の受信手段１０１は、第１の放送（実施形態のフルセグ放送に相当）を受信する。
第１のデコード手段１０２は、前記第１の受信手段１０１で受信した前記第１の放送をデコードする。
第２の受信手段１０３は、前記第１の放送と同一の放送内容を有する第２の放送（実施形態のワンセグ放送に相当）を受信する。
第２のデコード手段１０４は、第１の受信手段１０１で受信した第１の放送または前記第２の受信手段１０３で受信した前記第２の放送をデコードする。
振分手段１０５は、前記第１の受信手段１０１で受信した第１の放送と前記第２の受信手段１０３で受信した前記第２の放送とを前記第１のデコード手段１０２と第２のデコード手段１０４に振り分ける。
第１の制御手段１０６は、前記第１の受信手段１０１または前記第２の受信手段１０３をＯＮ制御する。
検出手段１０７は、前記第１、第２の受信手段１０１、１０３がＯＮ制御されている間に前記第１、第２の放送の受信状態の良否を表す指標（実施形態の受信状態指標Ｓに相当）を検出する。
選択手段１０８は、前記指標と第１の閾値（実施形態の提示切替閾値Ｌ及び提示切替閾値Ｈに相当）とを比較しその比較結果に基づいて前記第１のデコード手段１０２の出力と前記第２のデコード手段１０４の出力とを択一的に選択する。  第２の制御手段１０９は、前記第１の閾値と異なる第２の閾値（実施形態の第一動作切替閾値Ｌ及び第一動作切替閾値Ｈに相当）と前記指標とを比較しその比較結果に基づいて前記第１、第２の受信手段１０１、１０３をＯＮ／ＯＦＦ制御する。
第５の実施形態によれば、ワンセグからフルセグへの切り替えを遅滞なくスムーズに行いつつ、消費電力の低減を図ることができる放送受信装置１００を提供することができる。
【０１０３】
図１４は、第５の実施形態の工程図である。
この図に示すように、第５の実施形態の放送受信装置の制御方法は、第１の放送を第１の受信手段に受信させる第１の受信工程２００と、
前記第１の受信手段で受信した前記第１の放送を第１のデコード手段にデコードさせる第１のデコード工程２０１と、
前記第１の放送と同一の放送内容を有する第２の放送を第２の受信手段に受信させる第２の受信工程２０２と、
前記第１の受信手段で受信した第１の放送または前記第２の受信手段で受信した前記第２の放送を第２のデコード手段にデコードさせる第２のデコード工程２０３と、
前記第１の受信手段で受信した第１の放送と前記第２の受信手段で受信した前記第２の放送とを前記第１のデコード手段と第２のデコード手段に振り分ける振分工程２０４と、
前記第１の受信手段または前記第２の受信手段をＯＮ制御する第１の制御工程２０５と、
前記第１、第２の受信手段がＯＮ制御されている間に前記第１、第２の放送の受信状態の良否を表す指標を検出する検出工程２０６と、
前記指標と第１の閾値とを比較しその比較結果に基づいて前記第１のデコード手段の出力と前記第２のデコード手段の出力とを択一的に選択する選択工程２０７と、
前記第１の閾値と異なる第２の閾値と前記指標とを比較しその比較結果に基づいて前記第１、第２の受信手段をＯＮ／ＯＦＦ制御する第２の制御工程２０８と
を含む。
この工程によれば、ワンセグからフルセグへの切り替えを遅滞なくスムーズに行いつつ、消費電力の低減を図ることができる、放送受信装置の制御方法を提供することができる。
【０１０４】
以下、本発明の特徴を付記する。
上記の実施形態の一部又は全部は、以下の付記のようにも記載されうるが、以下には限られない。
（付記１）
付記１は、第１の放送を受信する第１の受信手段と、
前記第１の受信手段で受信した前記第１の放送をデコードする第１のデコード手段と、
前記第１の放送と同一の放送内容を有する第２の放送を受信する第２の受信手段と、
前記第１の受信手段で受信した第１の放送または前記第２の受信手段で受信した前記第２の放送をデコードする第２のデコード手段と、
前記第１の受信手段で受信した第１の放送と前記第２の受信手段で受信した前記第２の放送とを前記第１のデコード手段と第２のデコード手段に振り分ける振分手段と、
前記第１の受信手段または前記第２の受信手段をＯＮ制御する第１の制御手段と、
前記第１、第２の受信手段がＯＮ制御されている間に前記第１、第２の放送の受信状態の良否を表す指標を検出する検出手段と、
前記指標と第１の閾値とを比較しその比較結果に基づいて前記第１のデコード手段の出力と前記第２のデコード手段の出力とを択一的に選択する選択手段と、
前記第１の閾値と異なる第２の閾値と前記指標とを比較しその比較結果に基づいて前記第１、第２の受信手段をＯＮ／ＯＦＦ制御する第２の制御手段と
を備えたことを特徴とする放送受信装置である。
付記１によれば、ワンセグからフルセグへの切り替えを遅滞なくスムーズに行いつつ、消費電力の低減を図ることができる放送受信装置を提供できる。
（付記２）
付記２は、前記第２の制御手段は、前記第１、第２の受信手段に加えて前記第１のデコード手段もＯＮ／ＯＦＦ制御する
ことを特徴とする付記１に記載の放送受信装置である。
付記２によれば、ワンセグからフルセグへの切り替えを遅滞なくスムーズに行いつつ、付記１以上に消費電力の低減を図ることができる放送受信装置を提供できる。
（付記３）
付記３は、さらに、前記第１の閾値と異なる第３の閾値と前記指標とを比較しその比較結果に基づいて前記第２の受信手段または前記第２のデコード手段のいずれか一方もしくはその両方をＯＮ／ＯＦＦ制御する第３の制御手段
を備えたことを特徴とする付記１または２いずれかに記載の放送受信装置である。
付記３によれば、ワンセグからフルセグへの切り替えを遅滞なくスムーズに行いつつ、付記２以上に消費電力の低減を図ることができる放送受信装置を提供できる。
（付記４）
付記４は、前記第２の閾値は前記第１の閾値よりも低い値を有することを特徴とする付記１乃至３いずれか一項に記載の放送受信装置である。
付記４によれば、指標が第１の閾値よりも低い第２の閾値を下回ったときにフフルセグからワンセグへの切り替えを行うことができる。
（付記５）
付記５は、前記第３の閾値は前記第１の閾値よりも高い値を有することを特徴とする付記３に記載の放送受信装置である。
付記５によれば、指標が第１の閾値よりも高い第３の閾値以上になったときにワンセグからフルセグへの切り替えを行うことができる。
（付記６）
付記６は、第１の放送を第１の受信手段に受信させる第１の受信工程と、
前記第１の受信手段で受信した前記第１の放送を第１のデコード手段にデコードさせる第１のデコード工程と、
前記第１の放送と同一の放送内容を有する第２の放送を第２の受信手段に受信させる第２の受信工程と、
前記第１の受信手段で受信した第１の放送または前記第２の受信手段で受信した前記第２の放送を第２のデコード手段にデコードさせる第２のデコード工程と、
前記第１の受信手段で受信した第１の放送と前記第２の受信手段で受信した前記第２の放送とを前記第１のデコード手段と第２のデコード手段に振り分ける振分工程と、
前記第１の受信手段または前記第２の受信手段をＯＮ制御する第１の制御工程と、
前記第１、第２の受信手段がＯＮ制御されている間に前記第１、第２の放送の受信状態の良否を表す指標を検出する検出工程と、
前記指標と第１の閾値とを比較しその比較結果に基づいて前記第１のデコード手段の出力と前記第２のデコード手段の出力とを択一的に選択する選択工程と、
前記第１の閾値と異なる第２の閾値と前記指標とを比較しその比較結果に基づいて前記第１、第２の受信手段をＯＮ／ＯＦＦ制御する第２の制御工程と
を含むことを特徴とする、放送受信装置の制御方法である。
付記６によれば、ワンセグからフルセグへの切り替えを遅滞なくスムーズに行いつつ、消費電力の低減を図ることができる、放送受信装置の制御方法を提供できる。
（付記７）
付記７は、放送受信装置のコンピュータに、
第１の放送を第１の受信手段に受信させる第１の受信機能と、
前記第１の受信手段で受信した前記第１の放送を第１のデコード手段にデコードさせる第１のデコード機能と、
前記第１の放送と同一の放送内容を有する第２の放送を第２の受信手段に受信させる第２の受信機能と、
前記第１の受信手段で受信した第１の放送または前記第２の受信手段で受信した前記第２の放送を第２のデコード手段にデコードさせる第２のデコード機能と、
前記第１の受信手段で受信した第１の放送と前記第２の受信手段で受信した前記第２の放送とを前記第１のデコード手段と第２のデコード手段に振り分ける振分機能と、
前記第１の受信手段または前記第２の受信手段をＯＮ制御する第１の制御機能と、
前記第１、第２の受信手段がＯＮ制御されている間に前記第１、第２の放送の受信状態の良否を表す指標を検出する検出機能と、
前記指標と第１の閾値とを比較しその比較結果に基づいて前記第１のデコード手段の出力と前記第２のデコード手段の出力とを択一的に選択する選択機能と、
前記第１の閾値と異なる第２の閾値と前記指標とを比較しその比較結果に基づいて前記第１、第２の受信手段をＯＮ／ＯＦＦ制御する第２の制御機能と
を与えることを特徴とするプログラムである。
付記７によれば、ワンセグからフルセグへの切り替えを遅滞なくスムーズに行いつつ、消費電力の低減を図ることができるプログラムを提供できる。
【符号の説明】
【０１０５】
１  放送受信装置
５  フルセグデコード部
６  ワンセグデコード部
７  デコーダ選択部
１０  制御部
１２  フルセグ受信部
１３  ワンセグ受信部
１５  受信状態指標検出部
１００  放送受信装置
１０１  第１の受信手段
１０２  第１のデコード手段
１０３  第２の受信手段
１０４  第２のデコード手段
１０５  振分手段
１０６  第１の制御手段
１０７  検出手段
１０８  選択手段
１０９  第２の制御手段
【図１】
2014183378.tif 000003
【図２】
2014183378.tif 000004
【図３】
2014183378.tif 000005
【図４】
2014183378.tif 000006
【図５】
2014183378.tif 000007
【図６】
2014183378.tif 000008
【図７】
2014183378.tif 000009
【図８】
2014183378.tif 000010
【図９】
2014183378.tif 000011
【図１０】
2014183378.tif 000012
【図１１】
2014183378.tif 000013
【図１２】
2014183378.tif 000014
【図１３】
2014183378.tif 000015
【図１４】
2014183378.tif 000016
【図１５】
2014183378.tif 000017